(57)【要約】【課題】背中を洗う部分が邪魔になることがなく又、２つの手袋を連結するための部材を必要とすることなく、構成が簡単であり、構成が簡単であるが故に製造が容易であり、廉価で、使用者自身の背中も容易に洗うことが可能な身体洗い具を提供する。【解決手段】身体洗い具１００ａは、袋状に形成されると共に手２０１ａを収容するための手収容領域１１１ａを内側に有し手収容領域１１１ａに収容された手２０１ａを覆う手被覆部１０１ａと、手被覆部１０１ａと一体に筒状に形成されると共に手収容領域１０１ａに連続し腕２０３を収容するための腕収容領域１１２を内側に有し腕収容領域１１２に挿入された腕２０３を覆う腕被覆部１０７とを備え、手被覆部１０１ａと腕被覆部１０７が手２０１ａから肘２０２を覆う。使用者自身の背中を洗う場合、身体洗い具１００ａの両端部を両手２０１ａ、２０１ｂで把持して洗う。【選択図】  図２
0003186927.tif 000002
【実用新案登録請求の範囲】
【請求項１】
袋状に形成されると共に手を収容するための手収容領域を内側に有し、前記手収容領域に収容された手を覆う手被覆部と、
前記手被覆部と一体に筒状に形成されると共に前記手収容領域に連続し腕を収容するための腕収容領域を内側に有し、前記腕収容領域に挿入された腕を覆う腕被覆部とを備え、
手が前記腕収容領域を通して前記手収容領域に収容されることによって、前記手に繋がる腕が前記腕収容領域に挿入されて覆われるように構成されて成り、
手が前記手収容領域に収容されると共に前記手に繋がる腕が前記腕収容領域に挿入された状態では、前記手被覆部と前記腕被覆部が前記手から前記腕の肘を覆うように構成されて成ることを特徴とする身体洗い具。
【請求項２】
袋状に形成されると共に一方の手を収容するための手収容領域を内側に有し、前記手収容領域に収容された手を覆う手被覆部を備えた第１身体洗い具と、
袋状に形成されると共に他方の手を収容するための手収容領域を内側に有し、前記手収容領域に収容された手を覆う手被覆部を備えた第２身体洗い具とを備え、
前記第１身体洗い具と第２身体洗い具の中の少なくとも１つは、当該身体洗い具の手被腹部と一体に筒状に形成されると共に前記手収容領域に連続し腕を収容するための腕収容領域を内側に有し、前記腕収容領域に挿入された腕を覆う腕被覆部とを備え、手が前記腕収容領域を通して前記手被覆部に収容されることによって、前記手に繋がる腕が前記腕収容領域に挿入されて覆われるように構成されて成り、
前記腕被覆部を有する身体洗い具は、手が前記手収容領域に収容されると共に前記手に繋がる腕が前記腕収容領域に挿入された状態では、前記手被覆部と前記腕被覆部が前記手から前記腕の肘を覆うように構成されて成ることを特徴とする身体洗い具。
【請求項３】
前記手被覆部は、親指を収容して覆うための親指被覆部と、前記親指以外の４指をまとめて収容して覆うための４指被覆部とを備えて成ることを特徴とする請求項１又は２記載の身体洗い具。
【請求項４】
前記手被覆部と前記腕被覆部とを有する場合、前記手被覆部の指側の端から前記腕被覆部の肘側の端までの長さは、４０ｃｍ〜５０ｃｍの範囲内の長さであることを特徴とする請求項１乃至３のいずれか一に記載の身体洗い具。
【請求項５】
前記腕被覆部には、前記腕被覆部の径を伸縮させるための伸縮部が設けられて成り、
前記伸縮部は、前記腕被覆部に腕が挿入されて前記腕被覆部が前記腕を覆う状態では、前記腕被覆部が前記腕から位置ずれしないように前記腕を締め付けることを特徴とする請求項１乃至４のいずれか一に記載の身体洗い具。
【考案の詳細な説明】
【技術分野】
【０００１】
本考案は、入浴時は身体表面の汚れを洗う道具として又、入浴後や運動時等には身体表面の汗や水滴を拭く道具として使用される身体洗い具に関する。
【背景技術】
【０００２】
従来から、風呂入浴時に身体を洗い、あるいは、入浴後や運動時等に身体表面の水滴や汗を拭いて身体を綺麗にする身体洗い具が使用されている。
例えば、身体洗い具として、タオル地等の素材を手袋状に形成したものが開発されている（特許文献１〜３参照）。前記身体洗い具によって身体を洗う場合、手に前記身体洗い具を装着し、前記身体洗い具に石けん等をつけて身体を洗うように使用される。
特許文献１〜３記載の身体洗い具は短い手袋状に構成されているため、身体洗い具を装着した使用者が他者の背中を洗う場合や使用者自身の腕や足を洗う場合には使用しやすいが、使用者自身の背中は洗うことは困難である。
【０００３】
この問題を解決する考案として、身体洗い具を使用する者自身の背中も洗えるようにした身体洗い具が考案されている（例えば特許文献４〜７参照）。
例えば、特許文献４記載の考案は、中央部１の両端に袋の部分２、３を一体に設けた構成となっている。中央部１によって使用者自身の背中を洗うことは可能である。
しかしながら、中央部１及び袋の部分２、３が一体に形成されているため、背中以外の腕や足等を洗う場合には中央部１が邪魔になるという問題がある。
【０００４】
また、特許文献５記載の考案では、１双の手袋の各々にホックを設けて相互に連結可能に構成している。両手袋を前記ホックで連結することにより浴用タオルとして使用者自身の背中を洗うことが可能である。
しかしながら、ホックといった連結用の部品が必要になるため高価になり、又、両手袋を、腕等を洗う場合には分離し、背中を洗う場合には連結するといった作業が必要になるため使用に際して煩雑であるという問題がある。
【０００５】
また、特許文献６記載の考案では、本体１の両端に１対の手袋２、３を装着した構成となっている。
本体１によって使用者自身の背中を洗うことは可能であるが、本体１及び手袋２、３が一体に形成されているため、背中以外の腕や足等を洗う場合には本体１が邪魔になるという問題がある。
【０００６】
また、特許文献７記載の考案は、背中洗い用として使用するタオル１の両端部に穴６、７を開け、身体洗い用として使用する２つの手袋８、９の親指１０、１１を貫通させた状態で縫い付け一体構成したものである。
タオル１によって使用者自身の背中を洗うことは可能であるが、タオル１及び手袋８、９が一体に構成されているため、背中以外の腕や足等を洗う場合にはタオル１が邪魔になるという問題がある。また、タオル１の両端部に２つの穴６、７を開ける作業や、２つの手袋８、９の親指１０、１１を穴６、７に貫通させた状態で縫い付ける作業が必要になるため、製造工程が複雑になり、結果として高価になるという問題がある。
また、身体表面の水滴や汗を拭いて身体を綺麗にする場合にも同様の問題がある。
【０００７】
【特許文献１】実開平６−１１５８９号公報
【特許文献２】実開平７−４３９９８号公報
【特許文献３】実用新案登録第３０８６２３３号公報
【特許文献４】実用新案登録第３０１７００５号公報
【特許文献５】実用新案登録第３１２９１１３号公報
【特許文献６】実用新案登録第３１４１６３５号公報
【特許文献７】実用新案登録第３１４７６６０号公報
【考案の開示】
【考案が解決しようとする課題】
【０００８】
上述したように、従来の身体洗い具は、使用者自身の背中を洗えるようにするために、タオルの中央部分、ホック、フィラメント糸を編んで連結した本体、あるいは、両端部に穴を設けたタオルのような、２つの手袋を連結するための特別な部材を用いている。したがって、構成が複雑になり、高価になるという問題がある。また、２つの手袋が背中を洗う部材によって常時連結されている場合は、背中以外の部位を洗う際に前記背中を洗う部材が邪魔になるという問題がある。
【０００９】
本考案は、前記問題点に鑑み成されたもので、背中を洗う部分が邪魔になることがなく、又、２つの手袋を連結するための部材を必要とすることなく、構成が簡単であり、構成が簡単であるが故に製造が容易であり、廉価で、使用者自身の背中も容易に洗うことが可能な身体洗い具を提供することを課題としている。
【課題を解決するための手段】
【００１０】
本考案によれば、袋状に形成されると共に手を収容するための手収容領域を内側に有し、前記手収容領域に収容された手を覆う手被覆部と、前記手被覆部と一体に筒状に形成されると共に前記手収容領域に連続し腕を収容するための腕収容領域を内側に有し、前記腕収容領域に挿入された腕を覆う腕被覆部とを備え、手が前記腕収容領域を通して前記手収容領域に収容されることによって、前記手に繋がる腕が前記腕収容領域に挿入されて覆われるように構成されて成り、手が前記手収容領域に収容されると共に前記手に繋がる腕が前記腕収容領域に挿入された状態では、前記手被覆部と前記腕被覆部が前記手から前記腕の肘を覆うように構成されて成ることを特徴とする身体洗い具が提供される。
【００１１】
また、本考案によれば、袋状に形成されると共に一方の手を収容するための手収容領域を内側に有し、前記手収容領域に収容された手を覆う手被覆部を備えた第１身体洗い具と、袋状に形成されると共に他方の手を収容するための手収容領域を内側に有し、前記手収容領域に収容された手を覆う手被覆部を備えた第２身体洗い具とを備え、
前記第１身体洗い具と第２身体洗い具の中の少なくとも１つは、当該身体洗い具の手被腹部と一体に筒状に形成されると共に前記手収容領域に連続し腕を収容するための腕収容領域を内側に有し、前記腕収容領域に挿入された腕を覆う腕被覆部とを備え、手が前記腕収容領域を通して前記手被覆部に収容されることによって、前記手に繋がる腕が前記腕収容領域に挿入されて覆われるように構成されて成り、
前記腕被覆部を有する身体洗い具は、手が前記手収容領域に収容されると共に前記手に繋がる腕が前記腕収容領域に挿入された状態では、前記手被覆部と前記腕被覆部が前記手から前記腕の肘を覆うように構成されて成ることを特徴とする身体洗い具が提供される。
【考案の効果】
【００１２】
本考案に係る身体洗い具によれば、背中を洗ったり拭いたりする部分が邪魔になることがなく、又、２つの手袋を連結するための部材を必要とすることなく、構成が簡単であり、構成が簡単であるが故に製造が容易であり、廉価で、使用者自身の背中も容易に洗うことが可能である。
【考案を実施するための最良の形態】
【００１３】
図１は本考案の実施の形態に係る身体洗い具の正面図である。同図（ａ）は一方の手（例えば右手）及び前記手に繋がる腕に装着して使用する身体洗い具（第１身体洗い具）１００ａを示し、同図（ｂ）は他方の手（前記一方の手とは異なる方の手、ここでは左手）に装着して使用する身体洗い具（第２身体洗い具）１００ｂを示している。
【００１４】
また、図２は、図１に示した身体洗い具を使用者の手や腕に装着した状態を示す正面図である。同図（ａ）は使用者の一方の手（例えば右手）や前記手に繋がる腕に第１身体洗い具１００ａを装着した状態を示し、同図（ｂ）は使用者の他方の手（前記一方の手とは異なる方の手、ここでは左手）に第２身体洗い具１００ｂ装着した状態を示している。
尚、図１、図２において、同一部分には同一符号を付している。
【００１５】
図１、図２において、第１身体洗い具１００ａは、使用者の一方の手２０１ａから手２０１ａに繋がる腕２０３の肘２０２までを覆うように構成されている。第２身体洗い具１００ｂは使用者の他方の手２０１ｂを覆うように構成されている。第１、第２身体洗い具１００ａ、１００ｂは相互に長さが異なるように構成されている。
【００１６】
尚、身体洗い具１００ａ、１００ｂの形状は、左手専用、右手専用、両手兼用のいずれにも構成することが可能であり、使用目的等に合わせて選定することができる。また、第１身体洗い具１００ａは、使用者の一方の手２０１ａから肘２０２までを覆うように構成してもよく又、使用者の一方の手２０１ａから少なくとも肘２０２を覆うように構成してもよい。即ち、第１身体洗い具１００ａは、使用者の一方の手２０１ａから肘２０２を覆うように構成してもよい。
【００１７】
第１身体洗い具１００ａは、袋状に形成されると共に手２０１ａを収容するための手収容領域１１１ａを内側に有し、手収容領域１１１ａに収容された手２０１ａを覆う手被覆部１０１ａと、手被覆部１０１ａと一体に筒状に形成されると共に手収容領域１１１ａに連続し腕２０３を収容するための腕収容領域１１２を内側に有し、腕収容領域１１２に挿入された腕２０３を覆う腕被覆部１０７とを備え、手２０１ａが腕収容領域１１２を通して手収容領域１１１ａに収容されることによって、手２０１ａに繋がる腕２０３が腕収容領域１１２に挿入されて覆われるように構成されて成り、手２０１ａが手収容領域１１１ａに収容されると共に手２０１ａに繋がる腕２０３が腕収容領域１１２に挿入された状態では、手被覆部１０１ａと腕被覆部１０７が手２０１ａから腕２０３の肘２０２を覆うように構成されている。
第１身体洗い具１００ａは、使用者の手２０１ａや腕２０３を挿入するための開口１１０ａを腕被覆部１０７の肘２０２側（手被覆部１０１ａの反対側）に有すると共にそれ以外の部分は閉じられており、全体として袋状に形成されている。
手収容領域１１１ａと腕収容領域１１２は連続している。
【００１８】
手収容領域１１１ａは手２０１ａを収容するために手被覆部１０１ａ内に形成される空間領域であり、腕収容領域１１２は腕２０３を収容するために腕被覆部１０７内に形成される空間領域である。身体洗い具１００ａは、タオル地等の柔らかい素材によって構成されるため、手収容領域１１１ａは、手２０１ａが手被覆部１０１ａ内に挿入されていない状態では空間が潰れた状態になり、又、手被覆部１０１ａ内に手２０１ａが挿入された状態では手２０１ａを収容する空間が形成される。また、腕収容領域１１２も、腕被覆部１０７内に腕２０３が挿入されていない状態では空間が潰れており、腕被覆部１０７内に腕２０３が挿入された状態では腕２０３を収容する空間が形成される。
【００１９】
手被覆部１０１ａは、使用者の親指を収容するための親指被覆部１０２ａと、前記親指以外の４指をまとめて収容するための４指被覆部１０３ａとを備えている。また、手被覆部１０１ａは、使用者の手の平を覆う手の平被覆部１０４ａを備えている。このように手被覆部１０１ａは、全体としてミトン型の手袋を構成している。
手被覆部１０１ａには、手被覆部１０１ａと腕被覆部１０７の連結部１０５（破線で示す）には開口（図示せず）が形成されているが、それ以外の部分は閉じられており、全体として袋状に形成されている。前記開口を介して、手収容領域１１１ａと腕収容領域１１２は連続するように構成されている。
【００２０】
手被覆部１０１ａ内には一方の手が収容されて覆われる。手被覆部１０１ａ内に手が収容された状態では、当該手の親指が親指被覆部１０２a内に収容され、前記親指を除く４指がまとめて４指被覆部１０３ａ内に収容され、手の平が手の平被覆部１０４ａ内に収容されて覆われる。
腕被覆部１０７は、連結部１０５において手被覆部１０１ａと一体に筒状に形成されている。腕被覆部１０７は、手被覆部１０１ａの前記開口を介して手収容領域１１１ａに連続し腕を収容するための腕収容領域１１２を内側に有している。腕被覆部１０７は、腕収容領域１１２に挿入された腕２０３を覆う。
【００２１】
尚、腕被覆部１０７と手被覆部１０１ａを別々に形成した後、腕被覆部１０７と手被覆部１０１ａを縫合して一体にするように構成してもよく、あるいは、腕被覆部１０７と手被覆部１０１ａを一緒に編んで一体に形成するようにしてもよい。
手２０１ａ及び腕２０３を第１身体洗い具１００ａに収容した状態では、連結部１０５は手首の位置に対応することになる。
【００２２】
腕被覆部１０７は、腕被覆部１０７の径を伸縮可能にするために、肘２０２側（即ち手被覆部１０１ａとは反対側）の端部に開口１１０ａが形成されるように、腕被覆部１０７の径の全周にわたって所定幅（例えば５ｃｍ幅）の伸縮部１０６が設けられている。
腕被覆部１０７に腕２０３が挿入されて腕被覆部１０７が腕２０３を覆う状態では、伸縮部１０６は、収縮するように力が働いて腕２０３を締め付けて、腕被覆部１０７が腕２０３から位置ずれすることを抑制するように機能する。
伸縮部１０６を設ける位置は、使用目的や使用する素材などに応じて適宜選定することができる。また、腕被覆部１０７を伸縮性を有する素材によって形成することにより、伸縮部１０６を省略してもよい。
【００２３】
手被覆部１０１ａと腕被覆部１０７とを有する第１身体洗い具１００ａの場合、手被覆部１０１ａの指側の端から腕被覆部１０７の肘２０２側の端までの長さ（即ち、手被覆部１０１ａと腕被覆部１０７を合わせた長さであり、第１身体洗い具１００ａの長さである。）Ｌは、手２０１ａから肘２０２を覆うことが可能な長さであればよく、それ以上の長さであってもよい。但し、第１身体洗い具１００ａの長さＬがあまりにも長すぎると邪魔になるため、一定長さ以下にした方がよい。例えば、長さＬは４０ｃｍ〜５０ｃｍの範囲内の長さにすることが好ましい。
また、第１身体洗い具１００ａの長さは、手と、上腕の少なくとも一部とを覆う長さに構成するようにしてもよい。
【００２４】
第１身体洗い具１００ａを上記のような長さにすることにより、使用者が高齢者等のような身体の硬い者の場合でも、第１身体洗い具１００ａを用いて容易に背中を洗うことができ、その一方で、第１身体洗い具１００ａが長すぎて使用し辛くなることを防止できる。
尚、使用者にとって第１身体洗い具１００ａが長すぎる場合には、第１身体洗い具１００ａを手２０１ａ及び腕２０３を覆うように装着した後、腕被覆部１０７を手被覆部１０１ａ方向へ折り返すことにより、第１身体洗い具１００ａの長さを実質的に短くして使用するようにしてもよい。これにより、使用者自身の腕や足等を洗うとき、腕被覆部１０７が邪魔にならないようにして使用することができる。また、第１身体洗い具１００ａの両端（指側の端から肘２０２側の端）を両手で把持して背中を洗うことにより、背中を容易に洗うことができる。
【００２５】
一方、第２身体洗い具１００ｂは、袋状に形成され、使用者の他方の手２０１ｂを収容するための手被覆部１０１ｂを備えている。手被覆部１０１ｂは、手を収容するための手収容領域１１１ｂを内側に有している。手被覆部１０１ｂは、手収容領域１１１ｂに収容された手２０１ｂを覆う。
手被覆部１０１ｂは、使用者の親指を覆う親指被覆部１０２ｂと、親指以外の４指をまとめて覆う４指被覆部１０３ｂとを備えている。また、手被覆部１０１ｂは、使用者の手の平を覆う手の平被覆部１０４ｂを備えている。手被覆部１０１ｂは、全体としてミトン型の手袋を構成している。
【００２６】
また、手被覆部１０１ｂは、手被覆部１０１ｂの指と反対側（即ち、腕側）に手２０１ｂを挿入するための開口１１０ｂを有しているが、それ以外の部分は閉じられており、全体として袋状に形成されている。第２身体洗い具１００ｂは、使用者の手２０１ｂを挿入するための開口１１０ｂを有し、全体として袋状に形成されている。
開口１１０ｂの径が伸縮可能なように、開口１１０ｂの径の全周にわたって所定幅（例えば５ｃｍ）の伸縮部１０８が設けられている。手被覆部１０１ｂに手２０１ｂが収容された状態では、伸縮部１０８は、収縮するように力が働いて手２０１ｂと腕２０３間の手首を締め付けて、手被覆部１０１ｂが手２０１ｂから位置ずれすることを抑制するように機能する。
【００２７】
手被覆部１０１ｂ内には他方の手２０１ｂが収容されて覆われる。手被覆部１０１ｂ内に手２０１ｂが収容された状態では、親指が親指被覆部１０２ｂ内に収容され、親指を除く４指がまとめて４指被覆部１０３ｂ内に収容され、手の平が手の平被覆部１０４ｂ内に収容されて覆われる。
尚、前述したように、第１身体洗い具１００ａの手被覆部１０１ａと第２身体洗い具１００ｂの手被覆部１０１ｂを同じ形状に構成し、左右兼用して使用できるようにしてもよい。
【００２８】
第１身体洗い具１００ａを製造する場合、軍手等の手袋の製造と同様にして、手被覆部１０１ａと腕被覆部１０７を、タオル素材等を用いて一体に編んで形成する。第１身体洗い具１００ａに伸縮部１０６を一体形成する場合、ゴム等の伸縮部材を腕被覆部１０７の端に、開口１１０ａが形成されるように、腕被覆部１０７の径全周にわたって所定幅で縫い付ける等の方法によって形成する。
また、第２身体洗い具１００ｂについても、タオル素材等を用いて編んで手被覆部１０１ｂを形成し、ゴム等の伸縮部材を手被覆部１０１ｂの腕２０３側端部に開口１１０ｂが形成されるように所定幅で縫い付ける等の方法によって伸縮部材１０８を形成する。
【００２９】
このように本実施の形態に係る身体洗い具は、袋状に形成され一方の手２０１ａを収容するための手被覆部１０１ａを有する第１身体洗い具１００ａと、袋状に形成され他方の手２０１ｂを収容するための手被覆部１０１ｂを有する第２身体洗い具１００ｂとを有し、第１身体洗い具１００ａと第２身体洗い具１００ｂの中の少なくとも１つ（本実施の形態では第１身体洗い具１００ａ）は、当該身体洗い具１００ａの手被覆部１０１ａと一体に筒状に形成され、手被覆部１０１ａに収容された手２０１ａに繋がる腕２０３が挿入された状態で当該腕２０３を覆うように構成された腕被覆部１０７とを備えている。
第１身体洗い具１００ａと第２身体洗い具１００ｂの中の手被覆部１０１ａと腕被覆部１０７を有する方の身体洗い具１００ａは、腕被覆部１０７に腕２０３が挿入されると共に手被覆部１０１ａに手２０１ａが収容された状態では、手被覆部１０１ａと腕被覆部１０７は、手２０１ａから腕２０３の肘２０２を覆うように構成されている。
【００３０】
使用者が上記のように構成された身体洗い具を用いて自己の身体を洗う場合、図２に示すように、第１身体洗い具１００ａに自己の一方の手及び腕を挿入して装着し又、第２身体洗い具１００ｂに自己の他方の手を挿入して装着し、第１、第２身体洗い具１００ａ、１００ｂに石けんをつけ、自己の身体を洗う。このとき、手２０１ａ、２０１ｂが届く範囲内の身体部位は、身体洗い具１００ａ、１００ｂを使用者自身が図２のように装着した状態で、第１身体洗い具１００ａの手被覆部１０１ａ、第２身体手洗い具１００ｂの手被覆部１０１ｂによって洗うことができる。
【００３１】
尚、身体洗い具１００ａ、１００ｂは、身体表面を洗う以外にも身体表面を拭く場合にも使用可能である。
即ち、湯上りの身体を乾かす行為も、本実施の形態に係る身体洗い具１００ａ、１００ｂを両手にはめて全身を拭くと、効率よく、短時間に拭ける。特に通常のタオルでは拭きにくい足の指の間は、本実施の形態に係るミトン型タオルの親指を使って、効率よく強く拭ける為、水虫等の予防になる。
また、洗う時間が約半分で済むと、湯水の節約、洗剤の節約、引いては、エコ商品の位置付ができるという効果を奏する。
また、販売する場合は、双の組で販売するように構成することができる。
【００３２】
また、使用者が他人の身体を洗う場合にも、使用者が図２のように装着した状態で、手被覆部１０１ａ、１０ｂによって他人の身体を洗うようにすることができる。
足の指等の細部を洗う場合、手２０１ａ、２０１ｂは手被覆部１０１ａ、１０１ｂに収容されてはいるものの、手被覆部１０１ａ、１０１ｂが前述したようにミトン型に形成されているため、足指の間等の細部は、両手の親指を用いて親指被覆部１０２ａ、１０２ｂによって洗うことができる。
【００３３】
また、身体洗い具の使用者自身が自己の手２０１ａ、２０１ｂが届かない背中を洗う場合は、第１身体洗い具１００ａの両端部（手被覆部１０１ａの指側の端と腕被覆部１０７の肘２０２側の端）を両手２０１ａ、２０１ｂで把持して洗うようにする。この場合、第２身体洗い具１００ｂは手２０１ｂに装着していてもいなくてもどちらでもよい。
第１身体洗い具１００ａの長さは、使用者の手の指先から肘２０２まで覆うことが可能な長さに構成されているので、使用者が高齢者等のような身体の硬い者の場合でも、第１身体洗い具１００ａを用いて容易に自己の背中を洗うことができる。その一方で、第１身体洗い具１００ａが長すぎて使用し辛くなることを防止することができる。
【００３４】
以上述べたように本考案の実施の形態に係る身体洗い具は、袋状に形成されると共に手２０１ａを収容するための手収容領域１１１ａを内側に有し、手収容領域１１１ａに収容された手２０１ａを覆う手被覆部１０１ａと、手被覆部１０１ａと一体に筒状に形成されると共に手収容領域１０１ａに連続し腕２０３を収容するための腕収容領域１１２を内側に有し、腕収容領域１１２に挿入された腕２０３を覆う腕被覆部１０７とを備え、手２０１ａが腕収容領域１１２を通して手収容領域１０１ａに収容されることによって、手２０１ａに繋がる腕２０３が腕収容領域１１２に挿入されて覆われるように構成されて成り、手２０１ａが手収容領域１０１ａに収容されると共に手２０１ａに繋がる腕２０３が腕収容領域１１２に挿入された状態では、手被覆部１０１ａと腕被覆部１０７が手２０１ａから腕２０３の肘２０２を覆うように構成されて成ることを特徴としている。
【００３５】
また、袋状に形成されると共に一方の手２０１ａを収容するための手収容領域１１１ａを内側に有し、手収容領域１１１ａに収容された手２０１ａを覆う手被覆部１０１ａを備えた第１身体洗い具１００ａと、袋状に形成されると共に他方の手２０１ｂを収容するための手収容領域１１１ｂを内側に有し、手収容領域１１１ｂに収容された手２０１ｂを覆う手被覆部１０１ｂを備えた第２身体洗い具１００ｂとを備え、第１身体洗い具１００ａと第２身体洗い具１００ｂの中の少なくとも１つ（本実施の形態では第１身体洗い具１００ａ）は、当該身体洗い具１００ａの手被覆部１０１ａと一体に筒状に形成されると共に手収容領域１１１ａに連続し腕２０３を収容するための腕収容領域１１２を内側に有し、腕収容領域１１２に挿入された腕２０３を覆う腕被覆部１０７とを備え、手２０１ａが腕収容領域１１２を通して手被覆部１０１ａに収容されることによって、手２０１ａに繋がる腕２０３が腕収容領域１１２に挿入されて覆われるように構成されて成り、腕被覆部１０７を有する身体洗い具１００ａは、手２０１ａが手収容領域１１１ａに収容されると共に手２０１ａに繋がる腕２０３が腕収容領域１１２に挿入された状態では、手被覆部１０１ａと腕被覆部１０７が手２０１ａから腕２０３の肘２０２を覆うように構成されて成ることを特徴としている。
【００３６】
ここで、手被覆部１０１ａ、１０１ｂは、親指を収容するための親指被覆部１０２ａ、１０２ｂと、前記親指以外の４指をまとめて収容するための４指被覆部１０３ａ、１０３ｂとを備えて成るように構成することができる。
また、手被覆部１０１ａと腕被覆部１０７とを有する場合、手被覆部１０１ａの指側の端から腕被覆部１０７の肘側の端までの長さは、４０ｃｍ〜５０ｃｍの範囲内の長さであるように構成することができる。
【００３７】
腕被覆部１０７には、腕被覆部１０７の径を伸縮させるための伸縮部１０５が設けられて成り、伸縮部１０５は、腕被覆部１０７に腕２０３が挿入されて腕被覆部１０７が腕２０３を覆う状態では、腕被覆部１０７が腕２０３から位置ずれしないように腕２０３を締め付けるように構成することができる。
このように本考案の実施の形態に係る身体洗い具は、従来の身体洗い具が備えていたタオルの中央部分、ホック、フィラメント糸を編んで連結した本体あるいは両端部に穴を設けたタオルのような２つの手袋を連結するための特別な部材を必要とせず、その一方で、背中を洗うために腕被覆部１０７を備えている。
【００３８】
腕被覆部１０７は、背中以外の部位を洗う際は腕が挿入されて当該腕を覆う状態で当該腕に装着されるので、邪魔になることがない。また、２つの手袋を連結するための部材を必要とすることなく、構成が簡単であり、構成が簡単であるが故に製造が容易であり、廉価で、使用者自身の背中も容易に洗うことが可能な身体洗い具を提供することが可能になる。
【００３９】
また、本実施の形態に係る身体洗い具は、袋状の手被覆部１０１ａと一定長さの腕被覆部１０７を一体に形成するように構成されているため、手被覆部１０１ａと腕被覆部１０７を裏返して使用あるいは乾燥させるような場合は、手被覆部１０１ａが５本指の手袋状であれば裏返しにくいが、本実施の形態では手被覆部１０１ａをミトン型に構成しているため、容易に裏返すことが可能である。
【００４０】
即ち、本実施の形態では、ミトン型の手被覆部１０１ａと長い腕被覆部１０７との組み合わせにより、腕被覆部１０７が邪魔になることがなく、又、２つの手袋を連結するための部材を必要とすることなく、構成が簡単である等の前述した効果を奏するばかりでなく、容易に裏返して使用することが可能になる。
【００４１】
また、介護用等のように他人の背中等の身体を洗う用途に用いる場合には、短いミトン型の第２身体洗い具１００ｂを１双用いるように身体洗い具を構成する。使用者自身の背中等の身体を洗う用途に用いる場合には、１つの長い第１身体洗い具１００ａと１つの短い第２身体洗い具１００ｂを用いるように身体洗い具を構成する。
このように第１身体洗い具１００ａと第２身体洗い具１００ｂの組み合わせを変えることにより、多様な用途に提要することが可能になる。
【００４２】
また、本実施の形態に係る身体洗い具１００ａ、１００ｂは、両手にはめて使用するので、身体を洗う時間が、帯状のタオルを使用するときよりも約１／２に短縮できる等の効果を奏する。
尚、手被覆部１０１ａ、１０１ｂや腕被覆部１０７を裏返す必要がない場合等には、袋状の手被覆部１０１ａ、１０１ｂを５本指の手袋型に構成してもよい。この場合でも、腕被覆部１０７によって使用者の背中を容易に洗うことが可能である。
【００４３】
また、腕被覆部１０７を有する第１身体洗い具１００ａと腕被覆部１０７を有しない第２身体洗い具１００ｂを１組の身体洗い具として使用するように構成したが、複数（例えば２つ）の第１身体洗い具１００ａを使用するようにしてもよい。また、１つの第１身体洗い具１００ａのみを使用するようにしてもよい。
また、身体洗い具１００ａ、１００ｂの素材は、タオル素材、ポリエステル素材等、各種の素材を利用可能である。
【産業上の利用可能性】
【００４４】
使用者自身の身体を洗う身体洗い具として特に大きな効果を奏するが、他者の身体を洗う身体洗い具にも適用することが可能である。
【図面の簡単な説明】
【００４５】
【図１】本考案の実施の形態に係る身体洗い具の正面図である。
【図２】本考案の実施の形態に係る身体洗い具の使用方法を説明する正面図である。
【符号の説明】
【００４６】
１００ａ、１００ｂ・・・身体洗い具
１０１ａ、１０１ｂ・・・手被覆部
１０２ａ、１０２ｂ・・・親指被覆部
１０３ａ、１０３ｂ・・・４指被覆部
１０４ａ、１０４ｂ・・・手の平被覆部
１０５・・・連結部
１０６、１０８・・・伸縮部
１０７・・・腕被覆部
１１０ａ、１１０ｂ・・・開口
１１１ａ、１１１ｂ・・・手収容領域
１１２・・・腕収容領域
２０１ａ、２０１ｂ・・・手
２０２・・・肘
２０３・・・腕
【図１】
0003186927.tif 000003
【図２】
0003186927.tif 000004